(57)【要約】【課題】市外局番（Area Code）が変更された場合であっても、電話番号から該当施設のデータを抽出して、その施設を含む地図を表示すること。【解決手段】制御回路８は、電話番号から該当する施設のデータを抽出する場合、入力された電話番号のうち、市外局番を除く下位の７桁の番号と一致する電話番号を、検索データに記憶された電話番号から検索する。そして、一致する電話番号を持つ施設データを抽出して、その施設データの位置情報に基づいて、該当施設を含む地図を表示する。従って、仮に市外局番が変更された場合であっても、入力した電話番号から該当施設を含む地図を表示することができる。【選択図】      図２
2005077476.tif 000002
【特許請求の範囲】
【請求項１】
地図データを記憶する地図データ記憶手段と、
前記地図データ記憶手段に記憶された地図データに基づいて、地図を表示する表示手段と、
電話番号を入力する入力手段と、
電話番号と、その電話番号に対応する施設の位置を示す位置情報を含む施設データとを関連付けて記憶する記憶手段と、
前記入力手段によって入力された電話番号の下位の複数桁が同一である電話番号に対応する施設に関する施設データを前記記憶手段から抽出する抽出手段と、
前記抽出手段によって抽出された施設データの位置情報に基づいて、該当施設を含む地図を前記表示手段に表示させる表示制御手段とを備えることを特徴とする地図表示装置。
【請求項２】
前記施設データは、さらに、前記施設の名称情報を含み、前記抽出手段が、入力された電話番号の下位の複数桁が同一である電話番号に対応する複数の施設に関する施設データを抽出した場合、前記表示制御手段は、施設を含む地図を表示する前に、前記施設データの名称情報に基づいて複数の施設の名称を一覧表示し、その一覧表示された複数の施設から特定の施設が選択された場合に、その選択された施設を含む地図を前記表示手段に表示させることを特徴とする請求項１に記載の地図表示装置。
【請求項３】
前記抽出手段が、入力された電話番号の下位の複数桁が同一である電話番号に対応する１つの施設に関する施設データを抽出した場合、前記表示制御手段は、即座に、その１つの施設を含む地図を前記表示手段に表示させることを特徴とする請求項１または請求項２に記載の地図表示装置。
【請求項４】
前記抽出手段は、前記電話番号の下位の複数桁として、入力された電話番号の内、市外局番以外の番号を用いることを特徴とする請求項１乃至請求項３のいずれかに記載の地図表示装置。
【請求項５】
前記抽出手段は、まず、入力された電話番号がすべて同一である電話番号を前記記憶手段に記憶されている電話番号から検索し、すべて同一である電話番号が見つからなかった場合に、入力された電話番号の下位の複数桁が同一である電話番号を検索することを特徴とする請求項１乃至請求項４のいずれかに記載の地図表示装置。
【請求項６】
前記抽出手段は、前記電話番号の下位の複数桁に関して、１つずつ番号が入力される毎に、前記記憶手段に記憶された電話番号から、同一番号を持つ電話番号に絞り込むものであり、
次に入力されるべき番号として、前記抽出手段によって絞り込まれた電話番号に含まれる番号のみを前記入力手段から入力することを許容する入力制御手段を備えることを特徴とする請求項１乃至請求項５のいずれかに記載の地図表示装置。
【発明の詳細な説明】
【技術分野】
【０００１】
本発明は、電話番号を用いて、所望の施設を含む地図を検索して表示する地図表示装置に関するものである。
【背景技術】
【０００２】
従来、電話番号を用いて所望の施設を含む地図を検索して表示する装置は、例えば、車両用ナビゲーション装置に適用され、目的地の設定等に利用されている。すなわち、車両用ナビゲーション装置のユーザーがある施設を訪れたいと考え、その施設の電話番号を知っている場合、目的地設定画面において、ユーザーが電話番号を入力することにより、車両用ナビゲーション装置の表示装置に、該当する施設を含む地図が表示される。このとき、その表示画面において、施設が画面中央に表示されるとともに、カーソルがその施設に一致した状態となる。その状態において、目的地設定スイッチを操作すると、その施設が目的地として設定され、その目的地まで車両を案内する経路案内が開始される。
【発明の開示】
【発明が解決しようとする課題】
【０００３】
しかしながら、電話番号を用いて所望の施設を含む地図表示を行なう従来装置は、以下に述べるような問題があった。
【０００４】
従来装置は、電話番号と、その電話番号に対応する施設の名称や位置情報とを記憶しており、電話番号が入力されたとき、その入力電話番号と完全に一致する電話番号を検索する。そして、完全に一致する電話番号が存在する場合には、その電話番号に対応する施設を含む地図を施設名称を付加して表示する。一方、完全に一致する電話番号が見つからない場合、入力された電話番号の市外局番に対応するエリアの代表地点（例えばエリア中心地点）の地図を表示する。
【０００５】
このため、例えば米国において散見されるように、市外局番（Area Code）以外の番号は不変であるが、市外局番（Area Code）のみが変更された場合、従来装置では、電話番号から該当施設を含む地図を表示させることが不可能となってしまう。
【０００６】
本発明は、上述した点に鑑みてなされたもので、市外局番（Area Code）が変更された場合であっても、電話番号から該当施設のデータを抽出して、その施設を含む地図を表示することが可能な地図表示装置を提供することを目的とするものである。
【課題を解決するための手段】
【０００７】
上記目的を達成するために、請求項１に記載の地図表示装置は、
地図データを記憶する地図データ記憶手段と、
地図データ記憶手段に記憶された地図データに基づいて、地図を表示する表示手段と、
電話番号を入力する入力手段と、
電話番号と、その電話番号に対応する施設の位置を示す位置情報を含む施設データとを関連付けて記憶する記憶手段と、
入力手段によって入力された電話番号の下位の複数桁が同一である電話番号に対応する施設に関する施設データを記憶手段から抽出する抽出手段と、
抽出手段によって抽出された施設データの位置情報に基づいて、該当施設を含む地図を表示手段に表示させる表示制御手段とを備えることを特徴とする。
【０００８】
このように、請求項１に記載の地図表示装置によれば、抽出手段が、入力された電話番号と、記憶された電話番号との比較を、下位の複数桁に関してのみ行なう。従って、電話番号の上位に位置する市外局番（Area Code）の変更部分を含まないように、下位の複数桁を設定することにより、仮に市外局番が変更された場合であっても、電話番号から該当施設の施設データを抽出し、その施設データに含まれる位置情報から、その施設を含む地図を表示することができる。なお、地図データを記憶する地図データ記憶手段と、電話番号と施設データを関連付けて記憶する記憶手段とは、同一の記憶手段であっても良いし、別個の記憶手段であっても良い。
【０００９】
請求項２に記載の地図表示装置では、施設データは、さらに、施設の名称情報を含み、抽出手段が、入力された電話番号の下位の複数桁が同一である電話番号に対応する複数の施設に関する施設データを抽出した場合、表示制御手段は、施設を含む地図を表示する前に、施設データの名称情報に基づいて複数の施設の名称を一覧表示し、その一覧表示された複数の施設から特定の施設が選択された場合に、その選択された施設を含む地図を表示手段に表示させることを特徴とする。
【００１０】
入力された電話番号の一部（下位の複数桁）のみを用いて、その電話番号と一致する電話番号の施設データを抽出すると、複数の施設データが抽出されることがありえる。この場合には、抽出された施設データの名称情報に基づいて、複数の施設の名称を一覧表示することにより、その一覧表示された複数の施設から、ユーザーは所望の施設を選択することができる。従って、ユーザーが表示させようと望んでいた施設を含む地図を確実に表示することができる。
【００１１】
一方、請求項３に記載したように、抽出手段が、入力された電話番号の下位の複数桁が同一である電話番号に対応する１つの施設に関する施設データを抽出した場合には、表示制御手段は、即座に、その１つの施設を含む地図を表示手段に表示させれば良い。この場合には、ユーザーが施設を選択する余地はなく、抽出した施設データに基づいて、即座に、その施設を含む地図を表示させることで、迅速に地図表示を行なうことができる。
【００１２】
請求項４に記載のように、抽出手段は、電話番号の下位の複数桁として、入力された電話番号の内、市外局番以外の番号を用いることが望ましい。これにより、市外局番が変更された場合であっても、通常、それ以外の電話番号は変更されないため、所望の施設のデータを確実に抽出することができる。
【００１３】
なお、市外局番以外の番号としては、市外局番以外のすべての番号であっても良いし、市外局番以外の一部の番号であっても良い。ただし、市外局番以外の全ての番号を用いることにより、同時に抽出される施設データの数を減少させることができるので、市外局番以外のすべての番号を用いることが好ましい。
【００１４】
請求項５に記載の地図表示装置では、抽出手段は、まず、入力された電話番号がすべて同一である電話番号を記憶手段に記憶されている電話番号から検索し、すべて同一である電話番号が見つからなかった場合に、入力された電話番号の下位の複数桁が同一である電話番号を検索することを特徴とする。このように、まず全部の番号が一致する電話番号を検索するようにすれば、一致する電話番号が記憶されている場合の地図表示に際して、ユーザーに余計な手間を取らせることなく、円滑に地図表示を行なうことができる。そして、全部の番号が一致する電話番号が記憶されていない場合、市外局番が変更された可能性があるので、その時に限って電話番号の一部を用いて検索を行なう。これにより、電話番号の一部を用いた検索を適切なタイミングで実行させることが可能になる。
【００１５】
請求項６に記載の地図表示装置では、抽出手段は、電話番号の下位の複数桁に関して、１つずつ番号が入力される毎に、記憶手段に記憶された電話番号から、同一番号を持つ電話番号に絞り込むものであり、
次に入力されるべき番号として、抽出手段によって絞り込まれた電話番号に含まれる番号のみを入力手段から入力することを許容する入力制御手段を備えることを特徴とする。
【００１６】
これにより、電話番号の入力が全て完了した後に、電話番号の下位の複数桁に関して同一番号を持つ施設が見つからないとの結果になることを回避することができる。換言すれば、電話番号の入力途中で、番号の入力が不許可となるため、ユーザーの手間を軽減することができる。さらに、１つずつの番号の入力毎に、同一番号の電話番号を絞り込んでおくことにより、下位の複数桁が一致する電話番号がある場合に、その電話番号に対応する施設データを抽出するための処理時間を短縮することができる。
【発明を実施するための最良の形態】
【００１７】
以下、本発明の実施の形態における地図表示装置について説明する。なお、下記の各実施形態においては、地図表示装置が、車両用ナビゲーション装置に適用された例について説明する。
【００１８】
（第１実施形態）
図１は、第１実施形態に係わる車両用ナビゲーション装置の概略構成を示すブロック図である。同図に示すように、本実施形態の車両用ナビゲーション装置は、位置検出器１、地図データ入力器６、操作スイッチ群７、外部メモリ９、表示装置１０、音声入出力装置１１、リモコンセンサ１２、及びこれらに接続された制御回路８を備えている。
【００１９】
制御回路８は通常のコンピュータとして構成されており、内部には周知のＣＰＵ、ＲＯＭ、ＲＡＭ、Ｉ／Ｏ及びこれらの構成を接続するバスラインが備えられている。ＲＯＭには、制御回路８が実行するためのプログラムが書き込まれており、このプログラムに従ってＣＰＵ等が所定の演算処理を実行する。なお、このプログラムは、外部メモリ９を介して外部から取得したりすることもできる。
【００２０】
位置検出器１は、いずれも周知の地磁気センサ２、ジャイロスコープ３、走行距離を算出するための車速センサ４、及び衛星からの電波に基づいて車両の位置を検出するＧＰＳ（Global Positioning System）のためのＧＰＳ受信機５を有している。これらは、各々が性質の異なる誤差を持っているため、複数のセンサにより各々補完しながら使用するように構成されている。なお、各センサの精度によっては位置検出器１を上述した内の一部で構成しても良い。
【００２１】
地図データ入力器６は、道路地図を描画するための道路地図データ及び目印データを含む地図データ、および、各種施設を電話番号から検索するための検索データを制御回路８に入力するための装置である。すなわち、この地図データ入力器６が、本発明の地図データ記憶手段、及び電話番号と施設データとを関連付けて（検索データとして）記憶する記憶手段に相当する。ただし、地図データと検索データとは別個の記憶装置に記憶することももちろん可能である。
【００２２】
地図データ入力器６において、地図データおよび検索データを記憶する記憶媒体としては、そのデータ量からＣＤ−ＲＯＭまたはＤＶＤ−ＲＯＭを用いるのが一般的であるが、メモリカード、ハードディスク等の書き込み可能な記憶媒体を用いてもよい。
【００２３】
ここで、検索データの構成について説明する。各種の施設を電話番号から検索するために、検索データは、電話番号と、その電話番号に関連付けて、施設に関する施設データとを記憶している。施設データとしては、少なくとも施設の名称、および位置情報として座標情報を含み、さらに、その施設の住所や営業時間等の詳細情報を含んでも良い。
【００２４】
操作スイッチ群７は、例えば、後述する表示装置１０と一体となったタッチスイッチもしくはメカニカルなスイッチ等から構成され、表示装置１０の画面に表示される地図のスクロール操作、文字や数字の入力、表示された操作キーの選択等の各種の入力操作に使用される。
【００２５】
外部メモリ９は、例えばメモリカードやハードディスク等の記憶媒体から構成される。この外部メモリ９は、テキストデータ、画像データ、音声データ等の各種データの保存等に用いられる。
【００２６】
表示装置１０は、例えば液晶ディスプレイによって構成され、表示装置１０の画面には、制御回路８の処理により、例えば位置検出器１から入力された車両の現在位置に対応する車両マークと、地図データ入力器６より入力された地図データによって生成される車両周辺の道路地図が表示される。また、電話番号を用いて、所望の施設を検索する際には、その電話番号の入力用の画面が表示されたり、入力された電話番号から複数の候補施設が抽出された場合に、それらの施設の名称が一覧表示されたりする。
【００２７】
音声入出力装置１１は、音声入力部と音声出力部とから構成される。音声入力部は、ユーザーの発話内容を認識して、ナビゲーション装置の各種操作を音声入力によって行なうことを可能にするものである。また音声出力部は、スピーカやオーディオアンプ等から構成され、例えば、目的地が設定され、その目的地に到達する案内経路が算出されている場合には、その案内経路に関する音声案内等を行なう。
【００２８】
また、本実施形態の車両用ナビゲーション装置は、リモートコントロール端末（以下、リモコンと称する）１３からの操作信号を無線にて受信するリモコンセンサ１２を有している。このリモコン１３を操作することにより、上述したように所望の施設や地点を目的地として設定したり、表示地図を任意の方向にスクロールさせたり、所望の施設の電話番号を入力する等の各種の操作を行なうことができる。なお、目的地が設定された場合には、制御回路８は、車両の現在位置（或いは、ユーザーが指定した出発地）から目的地までの最適な経路を自動的に探索して案内経路を算出し、その案内経路を表示装置１０に表示する。
【００２９】
次に、本実施形態の特徴である、電話番号から、所望の施設を含む地図を検索して表示する処理について、図２のフローチャートに基づいて説明する。なお、この地図表示処理は、所望の施設を目的地として設定する際に利用することができることはもちろんであるが、その所望の施設の周辺道路を確認する等のため、単にその施設を含む地図を表示させる際に利用することもできる。
【００３０】
図２に示すフローチャートは、例えば、電話番号から施設検索を実行することを指示するスイッチ操作や音声入力がなされたときに開始される。そして、ステップＳ１０では、電話番号入力画面を表示する処理を実行する。この電話番号入力画面の一例を、図３に示す。図３に示すように、電話番号入力画面は、電話番号を１桁づつ入力するための番号キーと、入力された番号を表示する入力番号表示部と、入力した番号を訂正するための訂正キーおよび入力の完了を指示する完了キー等のファンクションキーを備える。なお、完了キーに関しては、所定の桁数の電話番号が入力された時点で、自動的に入力完了と判断するようにすれば、完了キーは省略することもできる。また、ファンクションキーとしては、電話番号の入力を中止するための中止キー等を設けても良い。
【００３１】
電話番号入力画面が表示された際に、タッチスイッチ、リモコン１２、あるいは音声入力等によって番号が入力されると、ステップＳ２０にて「Ｙｅｓ」と判定され、ステップＳ３０に進む。ステップＳ３０では、入力された番号を記憶するとともに、入力番号表示部に表示する。なお、訂正キーが操作された場合にも、ステップＳ２０にて「Ｙｅｓ」との判定がなされ、その場合、ステップＳ３０にて記憶・表示している番号の内、最新の番号を消去する。
【００３２】
ステップＳ４０では、完了キーの操作の有無や、入力された番号の桁数に基づいて、電話番号の入力が完了したか否かを判定する。まだ番号の入力が完了していないと判定した場合には、ステップＳ２０に戻って、番号入力を継続し、番号入力が完了したと判定した場合には、ステップＳ５０に進む。ステップＳ５０では、第１の電話番号検索処理を行なう。この第１の電話番号検索処理では、入力された電話番号（１０桁）と全て一致する電話番号を、上述した検索データに記憶されている電話番号から検索する。この第１の電話番号検索処理によって入力電話番号と全て一致する電話番号が見つかった場合には、ステップＳ６０にて「Ｙｅｓ」と判定され、ステップＳ１３０に進む。一方、入力電話番号と全て一致する電話番号が見つからなかった場合には、ステップＳ６０にて「Ｎｏ」と判定され、ステップＳ７０に進む。
【００３３】
ステップＳ７０では、第２の電話番号検索処理を行なう。この第２の電話番号検索処理では、市外局番（Area Code:上位３桁）を除く下位７桁の電話番号に関して、入力された電話番号と一致する電話番号を、検索データに記憶されている電話番号から検索する。つまり、米国などで散見されるように、電話番号は、市外局番のみが変更される場合があるため、市外局番を除く電話番号に限定して、さらに電話番号検索を行なうのである。これにより、市外局番の変更があった場合であっても、市外局番以外の番号は不変であるため、入力電話番号に対応すべき電話番号を検索データから検索することが可能になる。この下位７桁の電話番号に関して、入力電話番号と一致する電話番号が見つかった場合には、ステップＳ８０にて「Ｙｅｓ」と判定され、ステップＳ９０に進む。ステップＳ９０では、市外局番が変更された可能性が有る旨を表示して、ステップＳ１００に進む。一方、下位７桁の電話番号に関して、入力電話番号と一致する電話番号が見つからなかった場合には、ステップＳ８０にて「Ｎｏ」と判定され、ステップＳ１４０に進む。ステップＳ１４０では、第１および第２の電話番号検索処理によっても、検索データから該当する電話番号が検索できなかったので、入力された電話番号に該当する施設は見つからない旨の表示を行ない、処理を終了する。
【００３４】
ステップＳ１００では、下位７桁の電話番号が一致した電話番号を持つ施設の数が複数であるか否かを判定する。入力された電話番号の一部（下位の７桁）のみを用いて、その電話番号と一致する電話番号を検索すると、複数の電話番号、従って、それらの複数の電話番号に対応する複数の施設データが抽出されることがある。この場合には、いずれの施設を表示対象とするか特定するために、ステップＳ１１０以降の処理を行なう。一方、下位７桁の電話番号が一致した電話番号を持つ施設データの数が単数であると判定された場合には、ステップＳ１３０に進む。
【００３５】
ステップＳ１１０では、下位７桁の電話番号が一致した電話番号を持つ施設の名称を一覧表示する施設名称一覧表示処理を行なう。例えば、検索データとして、図４に示すデータが記憶されている場合に、検索すべき電話番号として「０００１２３４５６７」が入力されたものとする。この入力電話番号に完全に一致する電話番号は、検索データに記憶されていないため、市外局番以外の下位７桁に関して、入力電話番号「１２３４５６７」に一致する電話番号が検索されることになる。この場合、下位７桁に「１２３４５６７」の番号を持つ施設データは、その施設名称がＡＡＡＡ，ＣＣＣＣ，ＤＤＤＤ，ＧＧＧＧの４つであり、上述した第２の電話番号検索処理によってこの４つの施設データの電話番号が抽出される。このように複数の電話番号、すなわち施設データが抽出されると、施設名称一覧表示処理により、例えば図５に示すように、各施設の名称が番号を付されて一覧表示される。この一覧表示画面には、各施設に対応して選択スイッチが表示され、この選択スイッチをタッチ操作したり、音声にて施設の番号や名称を入力することにより、一覧表示された施設の中から特定の施設が選択されることになる。図２のフローチャートのステップＳ１２０では、一覧表示された施設の中から特定の施設を選択するための入力を受け付ける。
【００３６】
そして、特定の施設が選択されると、ステップＳ１３０に進んで、選択した施設、もしくは、第１および第２の電話番号検索処理にて一致する電話番号を持つ施設の数が１つであった場合には、その施設を含む地図を表示するための処理を行なう。検索データには、施設データとして、施設の位置を示す座標情報が含まれている。従って、表示すべき施設の座標が表示画面の中央となるように、表示地図の範囲を決定し、地図データ入力器６からその地図表示に必要な地図データを読み込む。そして、読み込んだ地図データに基づいて、上述した施設を含む地図を表示装置１０に表示させる。この際、地図画面上に、施設の名称や住所等も合わせて表示しても良い。
【００３７】
上述したように本実施形態による車両用ナビゲーション装置によれば、入力された電話番号と、記憶された電話番号との比較を、市外局番以外の下位の７桁に関してのみ行なう。従って、仮に市外局番が変更された場合であっても、市外局番以外の電話番号から該当施設の施設データを抽出し、その施設データに含まれる位置情報から、その施設を含む地図を表示することができる。なお、比較する電話番号は下位７桁に限られるものではなく、それよりも少ない桁数の電話番号を用いても良い。さらに、市外局番が変更される場合であっても、変更部分が上位の一部である場合には、市外局番の下位の番号を含めて、比較する電話番号として用いても良い。
【００３８】
また、本実施形態では、市外局番以外の電話番号に一致する電話番号が複数検索された場合には、その電話番号の施設名称を一覧表示して、いずれの施設の地図を表示すべきかユーザーが選択できるようにしている。このため、ユーザーが表示させようと望んでいた施設を含む地図を確実に表示することができる。
【００３９】
さらに、本実施形態では、まず、入力された電話番号がすべて同一である電話番号を検索データの電話番号から検索する第１の電話番号検索処理を行ない、すべて同一である電話番号が見つからなかった場合に、入力された電話番号の下位の７桁が同一である電話番号を検索する第２の電話番号検索処理を行なう。このように、まず全部の番号が一致する電話番号を検索するようにすれば、一致する電話番号が記憶されている場合の地図表示に際して、ユーザーに余計な手間を取らせることなく、円滑に地図表示を行なうことができる。そして、全部の番号が一致する電話番号が記憶されていない場合、市外局番が変更された可能性があるので、その時に限って電話番号の一部（下位７桁）を用いた検索を行なう。これにより、電話番号の一部を用いた検索を適切なタイミングで実行させることが可能になる。
【００４０】
なお、第１の電話番号検索と第２の電話番号検索とを同時に実行し、入力した全部の電話番号（１０桁）が一致する電話番号が検索できたか否かの判定と、下位７桁に一致する
電話番号が検索できたか否かの判定のみを相前後して実行するようにしても良い。
【００４１】
（第２実施形態）
次に本発明の第２実施形態による地図表示装置に関して説明する。本実施形態においても、地図表示装置は、車両用ナビゲーション装置に適用される。また、車両用ナビゲーション装置の構成は、前述した第１実施形態による車両ナビゲーション装置と同様であるため、説明を省略する。
【００４２】
本実施形態では、市外局番以外の下位７桁に関して、番号が入力される毎に、一致する番号を持つ電話番号を絞り込むとともに、次に入力可能な番号を、絞り込んだ電話番号から設定することを特徴とするものである。これにより、全ての番号の入力が完了した後に、該当する施設が見つからない旨の表示がなされることを回避できるとともに、該当する施設を含む地図表示や、複数の施設名の一覧表示等の処理を迅速に実行することができるようになる。
【００４３】
本実施形態における、電話番号から、所望の施設を含む地図を検索して表示する処理について、図６のフローチャートに基づいて説明する。まず、ステップＳ２１０では、電話番号入力画面の表示処理を行なう。この表示処理は、前述した第１実施形態における表示処理と基本的には同様である。ただし、本実施形態では、詳しくは後述するが、ステップＳ２８０にて絞り込んだ電話番号から次に入力可能な番号を決定する処理が実施された場合には、入力可能な番号を入力不可能な番号と識別表示する。具体的には、番号およびその番号を囲む表示線の太さ、色を変化させたり、表示線内を異なる色で着色したりする。そして、入力画面において、入力可能な番号のみの入力を許容し、入力不可と決定された番号の入力を禁止する。
【００４４】
ステップＳ２１０では、例えば、入力しようとした電話番号に一致する番号が入力不可能な態様で表示されている場合、ユーザーが電話番号の入力中止を指示したか否かを判定する。ユーザーが入力中止を指示したと判定した場合には、本フローチャートの処理は終了され、一方、入力中止の指示はないと判定した場合には、ステップＳ２３０に進む。
【００４５】
ステップＳ２３０とステップＳ２４０は、図２のステップＳ２０とステップＳ３０の処理と同様であり、番号が入力もしくは訂正された場合に、その番号の記憶・表示もしくは消去の処理を行なう。
【００４６】
ステップＳ２４０では、市外局番以外の下位７桁のいずれかの番号が入力されたか否か
を判定する。ここで「Ｎｏ」と判定されると、ステップＳ２３０の処理に戻り、「Ｙｅｓ」と判定されると、ステップＳ２５０に進む。ステップＳ２５０では、電話番号の絞り込み検索処理を行なう。すなわち、下位７桁のいづれかの番号が入力された時点で、その番号と一致する番号を持つ電話番号を検索データの電話番号から抽出し、番号の入力数が増加するに従い、その入力番号が一致する電話番号のみに抽出電話番号を絞り込んでゆく。
【００４７】
ステップＳ２７０では、電話番号の入力が完了したか否かを判定する。まだ、電話番号の入力が完了していないと判定した場合には、ステップＳ２８０に進み、入力が完了したと判定した場合には、ステップＳ２９０に進む。ステップＳ２８０では、絞り込んだ電話番号を参照して、更なる電話番号の絞り込みが行なわれるように、次に入力可能な番号を決定する。すなわち、既に絞り込んだ電話番号の中の次に入力される桁にある番号のみを入力可能な番号として決定するのである。これにより、上述したように、ステップＳ２１０の電話番号入力画面表示処理において、入力可能な番号が入力不可能な番号と識別表示される。
【００４８】
ステップＳ２９０〜ステップＳ３２０の処理は、第１実施形態のステップＳ１００〜ステップＳ１３０の処理と同様であるため、説明を省略する。
【００４９】
このような第２実施形態によれば、電話番号の入力が全て完了した後に、電話番号の下位の７桁に関して同一の番号を持つ施設がないとの表示がなされることを回避することができる。換言すれば、電話番号の入力途中で、番号の入力が不許可となるため、ユーザーの手間を軽減することができる。さらに、１つずつの番号の入力毎に、同一番号の電話番号を絞り込んでおくことにより、下位の７桁が一致する電話番号がある場合に、その電話番号を持つ施設データを抽出するための処理時間を短縮することができる。
【００５０】
なお、下位７桁に関して、入力済みの電話番号に一致する電話番号を持つ施設数を表示するようにしても良い。これにより、全ての桁の番号の入力を完了する前であっても、その施設数が少なくなった時点で、ユーザーは入力完了操作を行なって施設名称を一覧表示させることができる。この場合、ユーザーは電話番号の入力操作の手間を省くことができる。
【図面の簡単な説明】
【００５１】
【図１】本発明の第１実施形態に係わる、車両用ナビゲーション装置の概略構成を示すブロック図である。
【図２】電話番号から、所望の施設を含む地図を検索して表示する処理を示すフローチャートである。
【図３】電話番号入力画面の一例を示す説明図である。
【図４】電話番号、施設名称、位置情報からなる検索データの一例を示す説明図である。
【図５】電話番号検索により複数の施設の電話番号が抽出された場合に、それらの複数の施設の名称を一覧表示する表示画面の一例を示す説明図である。
【図６】第２実施形態による、電話番号から、所望の施設を含む地図を検索して表示する処理を示すフローチャートである。
【符号の説明】
【００５２】
１…位置検出機
６…地図データ入力器
７…操作スイッチ群
８…制御回路
９…外部メモリ
１０…表示装置
１１…音声入出力装置
１２…リモコンセンサ
【図１】
2005077476.tif 000003
【図２】
2005077476.tif 000004
【図３】
2005077476.tif 000005
【図４】
2005077476.tif 000006
【図５】
2005077476.tif 000007
【図６】
2005077476.tif 000008